(57)【特許請求の範囲】
【請求項１】
保持用ノブ（１０）と、前記保持用ノブ（１０）を蓋（１）に固着させるための突起物（１１）とノッチ（２１）とを含む継ぎ手手段（１１、２１）とから成っていて、前記ノッチ（２１）は、前記突起物（１１）が前記ノッチ（２１）内に入る際に通過する入口部分（２１ａ）と、前記突起物（１１）を前記ノッチ（２１）内に保持するための保持部分（２１ｂ）とを有し、前記ノブ（１０）と前記蓋（１）とが互いに相対的に動かされる時に、前記突起物（１１）が、前記ノッチ（２１）の前記入口部分（２１ａ）と前記保持部分（２１ｂ）との間を動く蓋（１）であって、
前記蓋（１）は、凹部（２４）と、前記凹部（２４）と前記蓋（１）の残りの部分との間に位置する肩部（２５）とを有し、
前記保持用ノブ（１０）は、前記凹部（２４）と実質的に相補的な形状部分（１４）を有すると共に、前記相補的な形状部分（１４）の回りに環状平坦部（１５）を有し、
前記継ぎ手手段（１１、１２）は、前記環状平坦部（１５）と前記肩部（２５）とに取り付けられ、
前記保持用ノブ（１０）は、前記ノッチ（２１）の前記入口部分（２１ａ）と保持部分（２１ｂ）との間で、前記凹部（２４）上を動くようにされ、前記保持用ノブ（１０）が取り外されると、蓋（１）から突き出るものが全く無くなることを特徴とする蓋。
【請求項２】
保持用ノブ（１０）と、前記保持用ノブ（１０）を蓋（１）に固着させるための突起物（１１）とノッチ（２１）とを含む継ぎ手手段（１１、２１）とから成っていて、前記ノッチ（２１）は、前記突起物（１１）が前記ノッチ（２１）内に入る際に通過する入口部分（２１ａ）と、前記突起物（１１）を前記ノッチ（２１）内に保持するための保持部分（２１ｂ）とを有し、前記ノブ（１０）と前記蓋（１）とが互いに相対的に動かされる時に、前記突起物（１１）が、前記ノッチ（２１）の前記入口部分（２１ａ）と前記保持部分（２１ｂ）との間を動く蓋（１）であって、
前記蓋（１）は、前記継ぎ手手段（１１、１２）を収容する凹部（２４）と、前記凹部（２４）と前記蓋（１）の残りの部分との間に位置する肩部（２５）とを有し、前記保持用ノブ（１０）は、前記凹部（２４）と実質的に相補的な形状部分（１４）を有し、
前記継ぎ手手段（１１、１２）は、前記保持用ノブ（１０）と蓋（１１）の中央部に位置し、
前記保持用ノブ（１０）は、前記ノッチ（２１）の前記入口部分（２１ａ）と保持部（２１ｂ）との間で、前記凹部（２４）上を動くようにされ、前記保持用ノブ（１０）が取り外されると、蓋（１）から突き出るものが全く無くなることを特徴とする蓋。
【請求項３】
前記保持用ノブ（１０）は、更に前記相補的な形状部分（１４）の回りに環状平坦部（１５）を有することを特徴とする請求項２に記載の蓋。
【請求項４】
前記凹部（２４）は、前記蓋（１）の上面に押圧形成されることを特徴とする請求項１乃至３のいずれかに記載の蓋。
【請求項５】
前記保持用ノブ（１０）が前記ノブ（１０）の中心軸（１０ａ）の回りに回転する時、前記突起物（１１）は、前記ノッチ（２１）の前記入口部分（２１ａ）と前記保持部分（２１ｂ）との間を動くことを特徴とする請求項１乃至４のいずれかに記載の蓋。
【請求項６】
前記凹部（２４）は、円錐台形状であり、前記ノブ（１０）は、前記凹部（２４）に対して相補的な円錐台形状の凸形状部分（１４）を有することを特徴とする請求項１乃至５のいずれかに記載の蓋。
【請求項７】
前記突起物（１１）は前記保持用ノブ（１０）に配置され、前記ノッチ（２１）は前記蓋（１）に配置されることを特徴とする請求項１乃至６のいずれかに記載の蓋。
【請求項８】
前記ノッチ（２１）は、インサート（３０）に形成され、前記インサート（３０）は、前記蓋（１）の開口部内に固着され、且つ前記蓋（１）よりも厚みを有することを特徴とする請求項７に記載の蓋。
【請求項９】
前記インサート（３０）は２つのノッチ（２１）とそれとは別の２つのノッチ（３４）を有し、前記各ノッチ（２１）、（３４）の保持部分は前記インサート（３０）の厚さの範囲内で、互いに逆の関係に配置され、前記各ノッチ（２１）、（３４）は共通の入口部分を有していて、前記保持用ノブ（１０）を前記蓋（１）の上側及び下側のいずれの側にも固定可能にした請求項８に記載の蓋。
【請求項１０】
前記蓋（１）の前記ノッチ（２１）内に係合するようにされた突起物（１１）を有することを特徴とする請求項１乃至９のいずれかに記載の蓋保持用ノブ。
【発明の詳細な説明】
技術分野
本発明は、調理器具などの蓋であって、蓋保持用ノブを有する蓋に関する。
背景技術
ねじによって、蓋に取り付けられる手持ち用ノブを有する蓋は、既に存在する。そのうちのあるものは、蒸気を逃すための孔を含んでいる。
これらの保持用ノブは、蓋全体の大きさを増大させたり、蓋相互の積み重ねを困難にしたりする等の不利点を有する。
また、一般的に、ねじは、保持用ノブの中心部分にねじ込まれ、そして、蒸気逃がし孔は、当該ノブの周辺部に設けられる。従って、上記ノブを、蓋にねじ込むことによって、当該ノブの蒸気逃し孔を、蓋の蒸気排出孔に整合させるためには、上記ノブを回転させる必要がある。
本発明の目的は、上記拘束を取り払って、組立て及び使用法の点で、極めて簡単化された蓋と、当該蓋を保持するためのノブとを提案することである。
本発明の目的である蓋は、当該蓋を保持するためのノブと、当該ノブを上記蓋に固着させるための継ぎ手手段とを含む
発明の開示
本発明によれば、上記継ぎ手手段は、突起物と、ノッチとを含む。当該ノッチは、上記突起物が、当該ノッチ内に入り込むための入口部分と、上記突起物を当該ノッチ内に保持するための保持部分とを有する。上記蓋と上記ノブが互いに相対的に動かされると、上記突起物は、上記入口部分と上記保持部分との間で、動く。
従って、組立て体は、単に上記ノブと蓋とを、互いに相対的に動かすことによって、その組立て及び分解が可能にされる。このことによって提供されるものが、可動保持ノブである。当該可動保持ノブは、多くの長所、即ち、蓋の掃除が簡単化されることや、収納または持ち運び時に、特に、蓋を積み重ねることによって、全体の嵩高を減らせること等の長所を有する。
蓋と上記ノブとは、モジュール化された一つの組立て体を形成する。ここで、一つの保持用ノブを、蓋の材料や形状如何に拘わらずに、様々の相互に相違する蓋に対して用いることができる。
本発明の一つの望ましい態様において、蓋は、凹部を有し、そして、ノブは、上記凹部に対して実質的に相補的な形状を有する部分を有し、当該部分は、上記ノッチの上記入口部分と上記保持部分との間で、上記凹部上を動くことができるようにされる。従って、蓋と上記ノブ双方の互いに相補的な形状は、上記ノブが蓋に取り付けられる際、当該ノブをガイドする。
このことが、上記ノッチ内への上記突起物の進入と、その中での当該突起物の保持とを容易化する。
上記保持用ノブが、当該ノブの中心軸の回りに回転させられる時に、望ましくは、上記突起物は、上記ノッチの上記入口部分と上記保持部分との間で動かされる。
蓋への上記ノブの銃剣形式の回転取り付け法によって、容易に取り外し可能ではあるが、使用者が上記保持用ノブによって蓋を取り扱う際の信頼性が極めて高い取り付けが行われる。
本発明のもう一つ別の態様において、蓋保持用ノブを特徴付けている点は、当該ノブが突起物を含み、当該突起物が蓋のノッチに係合するようにされると言う点である。
本発明のその他の特徴および利点は、以下の説明からより明らかにされる。
【図面の簡単な説明】
本発明に対して制限を加えるためのものでは無い実施例として与えられる添付図面において、
−図１Aは、本発明に従った保持用ノブを有する蓋の第一実施例の断面図であり、
−図１Bは、図１Aの保持用ノブの底面図であり、
−図１Cは、図１Aの蓋の平面図であり、
−図２Aは、一部を立面図で示した本発明に従った保持用ノブを有する蓋の第二実施例の断面図であり、
−図２Bは、図２Aの保持用ノブの底面図であり、
−図２Cは、図２Aの蓋の底面図であり、そして
−図3は、図２Aの実施例の一つの変形例の一構成部品の斜視図である。
発明を実施するための最良の形態
最初に、図1A,１Bおよび１Cを参照しながら、本発明の第一実施例を説明する。
本発明に従った蓋１は、保持用ノブ１０を含む。当該ノブ１０は、継ぎ手手段によって、取り外し自在に固着される。当該継ぎ手手段は、少なくとも一つの突起物１１と、一つのノッチ２１とを含み、当該ノッチ２１内に突起物１１が係合する。
図１Cに示される通り、ノッチ２１は、突起物１１が当該ノッチ２１内に入り込むための入口部分２１aと、突起物１１を当該ノッチ２１内に保持するための保持部分２１ｂとを有する。
突起物１１は、拡大端１１aと、本体１１ｂとを有する。当該拡大端１１aは、ノッチ２１の入口部分２１aを通過することができ、上記本体１１ｂは、上記拡大端１１aよりも断面積が小さく、ノッチの保持部分２１ｂ内を動くことができる。上記突起物の拡大端１１aは、ノッチの保持部分２１ｂを通過することができないので、上記保持用ノブを蓋上に維持する。
この実施例において、固着手段は、同じ二つの突起物１１と、対応する二つのノッチ２１とを含む。
固着は、蓋１に対して、上記ノブを相対的に回転させることによって達成される。その際、ノッチ２１は、共通円上に位置し、当該円の中心は、蓋１の中心である。
上記保持用ノブ１０が、自己の中心軸１０aの回りに回転させられると、突起物１１は、ノッチ２１に係合し、それ故、上記保持用ノブは、上記蓋の中心に位置決めされて、当該蓋の重さを更に良好に分布させる。
蓋１は、凹部２４を有し、そして、ノブ１０は、凹部２４に対して実質的に相補的な形状を有する部分１４を有し、当該部分１４は、上記ノッチ２１の上記入口部分２１aと上記保持部分２１bとの間で、上記凹部２４上を動くことができるようにされる。
凹部２４は、蓋１の上面に押圧形成されて、円錐台形状を有する。ノブ１０は、凹部２４に対して相補的な形状の円錐台部分１４を有する。
蓋1は更に、肩部２５を、円錐台形状の凹部２４と、蓋１の残りの部分との間に含む。そして、保持用ノブ１０は、相補的な形状の円錐台部分１４の回りに環状平坦部１５を有する。上記継ぎ手手段１１、２１は、環状平坦部１５と、肩部２５とに取り付けられる。
ノブ１０が蓋１に取り付けられる際に、ノブ１０と蓋１の互いに相補的な形状によって、当該ノブの回転がガイドされる。
上記突起物は、保持用ノブ１０の上記環状平坦部１５に存在する。
上記ノッチは、上記蓋の肩部２５に位置するので、保持用ノブ１０が取り外されると、蓋１から突き出るものが全く無くなる。
望ましくは、保持用ノブ１０は、更に自己の中心に、蒸気排出孔を含む。そして、望ましくは、蓋１は、対応中央開口２２を含み、当該開口２２を通して、調理時の蒸気を逃す。
図２A,２Bおよび２Cに示される第二実施例において、上記継ぎ手手段は、保持用ノブ１０と蓋１との中心部に位置する。第一実施例のそれと同じ構成部分は、図面において、同じ参照数字で示され、再説明されることはない。
ノブ１０は、二つの突起物１１を有する。当該突起物１１は、その中央垂直軸１０aに対して、半径方向に伸びる。
従って、二つの突起物１１が存在する。当該突起物１１は、ノブ１０の端１６上に突起物を形成し、望ましくは、相互に反対方向に形成される。
蓋１は、実質的に円形の開口部を含む。当該開口部が形成するものは、ノッチと、各々の入口部分２１aと、各々の保持部分２１bである。上記入口部分２１aは、ノブ１０の突起物１１を挿入するためのものであって、一つの扇形から構成される。上記保持部分２１bは、もう一つ別の扇形から構成され、上記入口部分２１aよりも小さな半径を有する。
各々の突起物１１は、ノブ１０の上記軸線１０aからある距離だけ伸びる。当該距離は、入口部分２１aによって形成される扇形の半径に実質的に等しく、保持部分２１bによって形成される扇形の半径よりも大きい。
この実施例において、上記ノッチは、二つの向かい合う入口部分２１aを、二つの向かい合う保持部分２１bに隣接させた状態で有する。
上記蓋にノブ１０が固着される時、突起物１１は、入口部分２１aを通過した後、蓋１の下方で、回転させられて、ノッチ２１の保持部分２１bと同じ高さにされる。
この実施例において、保持用ノブ１０は、同じようにして、突起物１１を、入口部分２１a内に挿入して、蓋１に対して回転させることによって、ノッチ２１の保持部分２１bの全体に渡って、蓋１の下方で固着される。
蓋のノッチ２１の中心部は、開口部２２を含む。当該開口部22は、調理時の蒸気を逃し、ノブ１０内部の通路１２に対応する。当該通路１２は、蓋の下方で、自己の端１６において開口する。一つの排気孔１７がノブに設けられ、当該排気孔１７を通して、蒸気が逃される。
図３に示される通り、ノッチ２１を、インサート３０に形成することができる。当該インサート３０は、蓋１の開口部22内に固着され、そして当該蓋よりも厚みを有する。
弾性的な突起物３３によって、環状のインサート３０を嵌め込むことによって、又は、当該インサート３０を糊付けすることによって、又は、当該インサート３０を機械的にカールさせることによって、当該環状のインサート３０を、蓋内の中央開口部２２の縁部に固着することができる。
当該インサート３０は、ノッチ２１が蓋に直接的に形成されることによって生ずる鋭い縁部の存在を避けることができると共に、当該蓋の厚みについての拘束を取り払う。
当該インサートは、上記ノブを固着する際に上記において説明された通り、二つのノッチ２１を有する。当該インサートは、金属またはプラスチック材料から作られる。
インサート３０は又一方、別の二つのノッチ３４を有する。当該ノッチ３４は、上記ノッチ２１と同じであり、特に、蓋を収納するために、蓋１の下側に保持用ノブを固着可能にする。
各々のノッチ３４は、上記ノッチ２１の入口部２１aと共通の入口部を有すると共に、当該入口部２１aに関して上記ノッチ２１の保持部２１ｂとは対称的な位置に配置される保持部を有する。これらのノッチ２１a、３４の保持部は、上記インサート３０の厚さの範囲内で、互いに逆の関係に配置される。即ち、ノッチ２１の保持部２１ｂは、インサート３０の下部に配置され、そして、ノッチ３４の保持部は、インサート３０が蓋１に固着される時、当該インサート３０の上部に配置される。
ノブ１０が蓋１に固着される時に、突起物１１は、インサート３０の上部から下部に向かって、上記入り口部２１aを通過し、次いで、上記保持部２１bの下方で旋回させられる。ノブ１０が、上記蓋の下側に固着される時、突起物１１は、インサート３０の下部から上部に向かって、上記入り口部２１aを通過し、次いで、ノッチ３４の保持部の上方で旋回させられる。
当然のことながら、本発明の範囲を逸脱することなく上記実施例に対して、多くの改変を加えることが可能である。
例えば、上記ノブを、蓋に固着させる際に、当該ノブを、蓋の直線形状のノッチ内に平行移動させることによって固着させることができる。
上記ノブの一つの突起物に、非復帰部材を追加することによって、最初に当該ノブを蓋にロックさせる際に、所定の角度上の閾値をこえた後で、初めて、当該ノブを恒久的に蓋に固着させることができる。
上記ノブ１０は、同じくフープまたは握手の形状をも取り得る。
【図１Ａ】
0003776460.tif 000002
【図１Ｂ】
0003776460.tif 000003
【図１Ｃ】
0003776460.tif 000004
【図２Ａ】
0003776460.tif 000005
【図２Ｂ】
0003776460.tif 000006
【図２Ｃ】
0003776460.tif 000007
【図３】
0003776460.tif 000008